(57)【特許請求の範囲】
【請求項１】
操作ボタンの操作により噴出ノズルから燃料ガスを噴出させると共に、点火機構を作動させて上記燃料ガスに着火させるガスライターにおいて、
上記操作ボタンの操作と同時に操作可能であるセットボタンと、
上記セットボタンの下部に形成された移動手段と、
上記セットボタンの操作により上記移動手段が押圧する脚部を一端に構成し、上記脚部の押圧により上記噴出ノズルの先端を露出させ、上記セットボタンの操作解除により上記噴出ノズルの先端に被さるキャップ部を他端に構成するバーナーキャップと、を設けたことを特徴とするガスライター。
【請求項２】
操作ボタンの操作によって圧電ユニットを押し下げることにより、レバー機構を介して噴出機構を作動させ、噴出ノズルから燃料ガスを噴出させると共に、圧電素子に高電圧パルスを発生させて、放電端子からアークを飛ばし、燃料ガスに着火させるガスライターにおいて、
上記操作ボタンの操作と同時に操作可能であるセットボタンと、
上記セットボタンの下部に形成された移動手段と、
上記セットボタンの操作により上記移動手段が押圧する脚部を一端に構成し、上記脚部の押圧により上記噴出ノズルの先端を露出させ、上記セットボタンの操作解除により上記噴出ノズルの先端に被さるキャップ部を他端に構成するバーナーキャップと、を設けたことを特徴とするガスライター。
【請求項３】
上記バーナーキャップは、中央部で回動可能に支持されて、両端が選択的に開閉するよう配置された半割り状の一対のキャップ要素からなることを特徴とする請求項１または２記載のガスライター。
【請求項４】
上記バーナーキャップは、上記噴出ノズルに被さる第１の位置と、上記移動手段による強制移動可能な上記噴出ノズルを露出させる第２の位置とに移動可能であり、
上記セットボタンは、上記操作ボタンの操作解除時の自動復帰に連動して非操作位置に復帰可能で、かつ、独自作動によっても非操作位置に復帰可能であり、
上記セットボタンの操作解除時に上記バーナーキャップを上記第１の位置に自動復帰させる復帰手段を設けることを特徴とする請求項１から請求項３のいずれかに記載のガスライター。
【請求項５】
更に、上記セットボタンは、上記操作ボタンの前部上面に一部重なって配置されていることを特徴とする請求項１から４のいずれかに記載のガスライター。
【請求項６】
操作ボタンの操作により噴出ノズルから燃料ガスを噴出させると共に、点火機構を作動させて上記燃料ガスに着火させるガスライターにおいて、
上記操作ボタンの操作と同時に操作可能であると共に、上記操作ボタンの操作解除時の自動復帰に連動して非操作位置に復帰可能で、かつ、独自作動によっても非操作位置に復帰可能なセットボタンと、
一端がキャップ部を構成すると共に他端が脚部を構成し、中央部で回動可能に支持されて、両端が選択的に開閉するよう配置された半割り状の一対のキャップ要素からなり、上記噴出ノズルから噴出し着火された燃料ガスの燃焼を遮断するよう上記噴出ノズルに被さる第１の位置と、上記点火機構による着火の妨げとならないよう上記噴出ノズルを露出させる第２の位置とに移動可能なバーナーキャップと、
上記セットボタンの押し下げ操作により上記バーナーキャップの脚部を左右から押圧して閉動させるよう上記セットボタンの下部に形成されたテーパ面からなり、上記セットボタンの操作時に上記バーナーキャップを上記第２の位置に強制移動させる移動手段と、
上記バーナーキャップのキャップ部を閉動方向に付勢するリターンラバーで構成され、上記セットボタンの操作解除時に上記バーナーキャップを上記第１の位置に自動復帰させる復帰手段と、を設けていることを特徴とするガスライター。
【請求項７】
操作ボタンの操作によって圧電ユニットを押し下げることにより、レバー機構を介して噴出機構を作動させ、噴出ノズルから燃料ガスを噴出させると共に、圧電素子に高電圧パルスを発生させて、放電端子からアークを飛ばし、燃料ガスに着火させるガスライターにおいて、
上記操作ボタンの操作と同時に操作可能であると共に、上記操作ボタンの操作解除時の自動復帰に連動して非操作位置に復帰可能で、かつ、独自作動によっても非操作位置に復帰可能なセットボタンと、
一端がキャップ部を構成すると共に他端が脚部を構成し、中央部で回動可能に支持されて、両端が選択的に開閉するよう配置された半割り状の一対のキャップ要素からなり、上記噴出ノズルから噴出し着火された燃料ガスの燃焼を遮断するよう上記噴出ノズルに被さる第１の位置と、上記点火機構による着火の妨げとならないよう上記噴出ノズルを露出させる第２の位置とに移動可能なバーナーキャップと、
上記セットボタンの押し下げ操作により上記バーナーキャップの脚部を左右から押圧して閉動させるよう上記セットボタンの下部に形成されたテーパ面からなり、上記セットボタンの操作時に上記バーナーキャップを上記第２の位置に強制移動させる移動手段と、
上記バーナーキャップのキャップ部を閉動方向に付勢するリターンラバーで構成され、上記セットボタンの操作解除時に上記バーナーキャップを上記第１の位置に自動復帰させる復帰手段と、を設けていることを特徴とするガスライター。
【発明の詳細な説明】
【０００１】
【発明の属する技術分野】
この発明は、ガスライターに関し、特に、使用後に強制的に炎を消火する機構を備えた放電点火式等の使い捨てガスライターに関するものである。
【０００２】
【従来の技術】
放電点火式の使い捨てガスライターは、一般に、圧電素子を内蔵した外箱とハンマーを内蔵した内箱とからなる圧電ユニットを備えるとともに、圧電ユニットの外箱の押し下げに連動して噴出ノズルを持ち上げ弁機構を開いて噴出ノズルから燃料ガスを噴出させるガスレバーを備え、操作ボタンを介して圧電ユニットの外箱を押し下げることにより、レバー機構を介して噴出ノズルを引き上げ、弁機構を開いてガス通路を開放し、噴出ノズルから燃料ガスを噴出させるとともに、圧電素子に高電圧パルスを発生させて放電端子か放電させ、着火させるよう構成されている。
【０００３】
かかる構成の従来のガスライターは、例えば煙草に火を着ける時、操作ボタンを指で押し下げて、圧電ユニットを介してガスレバーを回動させ、噴出ノズルを引き上げてガス流路を開放しガスを噴出させると共に、放電させてガスに着火させるよう着火操作を行い、そうした着火操作によりガスに着火され炎が出た状態で使用に供される。そして、使用後は、操作ボタンから指を離すことにより、通常は、外箱が戻しバネの力で持ち上がって、操作ボタンが元の位置に自動復帰すると共に、ガスレバーが解放されて、弁機構に内包されているバネの力で噴出ノズルが下がり、弁機構が閉じてガス通路が遮断され、炎が消火される。
【０００４】
【発明が解決しようとする課題】
しかしながら、上記のような従来のガスライターでは、使用後に操作ボタンを離しても炎が完全には消えずに、小さな残り火の状態で燃え続けるような事態が生ずる可能性がある。
【０００５】
すわなち、この種のガスライターは保管状態によっては、例えば使用者が砂粒や塵の入ったポケットにガスライターを入れた場合等、保管状態によっては、それら砂粒等が異物としてライター上部の隙間からライター内部に入り込み、ガスレバーとライター本体との間に異物が挟まったり、圧電ユニット内に異物が侵入する場合がある。そして、ガスレバーとライター本体との間に異物が挟まった場合、操作ボタンから指を離すことにより、戻しバネの力で外箱が元の位置に持ち上がっても、ライター本体との間に異物が噛み込まれてガスレバーが完全に元の位置まで戻らないことがある。
【０００６】
また、圧電ユニット内に異物が侵入した場合、ハンマーバネの間に異物が潜り込み、あるいは戻しバネの間に異物が潜り込んで、それら潜り込んだ異物が操作ボタンを押し下げたときに外箱と内箱との摺動部の隙間に噛み込まれてしまい、そのため、操作ボタンから指を離しても、戻しバネの力では外箱が完全には持ち上がらず、途中で止まってしまって、ガスレバーが完全に元の位置に戻らないことがある。
【０００７】
そして、このようにガスレバーとライター本体との間に異物が挟まったり、圧電ユニット内に侵入した異物が外箱と内箱との摺動部の隙間に噛み込まれて、操作ボタンから指を離してもガスレバーが完全に元の位置に戻らないことになると、噴出ノズルが少し引き上げられた状態のままとなって、弁機構が少し開いて微量のガスが噴出し続け、噴出ノズル付近で小さな残り火の状態となって燃え続けることがあり、そういった場合に、使用者がそのことに気付かずにガスライターをポケット等に入れてしまうと、衣服を焦がすなどの問題が起きる恐れがある。
【０００８】
そこで、この発明は、使用後に燃料ガスを完全に遮断できないトラブルが発生した場合でも強制的に炎を消火できるガスライターを提供するものである。
【０００９】
【課題を解決するための手段】
第１に、この発明のガスライターは、操作ボタンの操作により噴出ノズルから燃料ガスを噴出させると共に、点火機構を作動させて燃料ガスに着火させるガスライターにおいて、操作ボタンの操作と同時に操作可能であると共に、操作ボタンの操作解除時の自動復帰に連動して非操作位置に復帰可能で、かつ、独自作動によっても非操作位置に復帰可能なセットボタンと、噴出ノズルから噴出し着火された燃料ガスの燃焼を遮断するよう噴出ノズルに被さる第１の位置と、点火機構による着火の妨げとならないよう噴出ノズルを露出させる第２の位置とに移動可能なバーナーキャップと、セットボタンの操作時にバーナーキャップを第２の位置に強制移動させる移動手段と、セットボタンの操作解除時にバーナーキャップを第１の位置に自動復帰させる復帰手段を設けたものである。
【００１０】
このガスライターは、着火操作に際して、操作ボタンとセットボタンを同時に操作することにより、セットボタンの操作を受けて移動手段がバーナーキャップを第１の位置から第２の位置へ強制移動させて噴出ノズルを露出させ、操作ボタンの操作により噴出ノズルからの燃料ガスの噴出が開始され、点火機構が作動して、燃料ガスに着火され、そうした着火操作によりガスに着火され炎が出た状態で使用に供される。そして、使用後は、操作ボタンおよびセットボタンの操作を解除することにより、通常は操作ボタンが元の位置に自動復帰し、それに連動してセットボタンが非操作位置に復帰し、燃料ガスの噴出が停止され、炎が消火される。また、セットボタンの操作が解除され、非操作位置に復帰すると、復帰手段の作用でバーナーキャップが第１の位置に復帰し、バーナーキャップが噴出ノズルに被さる。そして、操作ボタンから指を離した時に何らかのトラブルにより燃料ガスの噴出が止まらなくなっても、バーナーキャップが噴出ノズルに被さることによって燃料ガスの燃焼が遮断され、強制的に炎が消火される。
【００１１】
また、第２に、この発明のガスライターは、操作ボタンの操作によって圧電ユニットを押し下げることにより、レバー機構を介して噴出機構を作動させ、噴出ノズルから燃料ガスを噴出させると共に、圧電素子に高電圧パルスを発生させて、放電端子からアークを飛ばし、燃料ガスに着火させるガスライターにおいて、操作ボタンの操作と同時に操作可能であると共に、操作ボタンの操作解除時の自動復帰に連動して非操作位置に復帰可能で、かつ、独自作動によっても非操作位置に復帰可能なセットボタンと、噴出ノズルから噴出し着火された燃料ガスの燃焼を遮断するよう噴出ノズルに被さる第１の位置と、点火機構による着火の妨げとならないよう噴出ノズルを露出させる第２の位置とに移動可能なバーナーキャップと、セットボタンの操作時にバーナーキャップを第２の位置に強制移動させる移動手段と、セットボタンの操作解除時にバーナーキャップを第１の位置に自動復帰させる復帰手段を設けたものである。
【００１２】
このガスライターは、着火操作に際して、操作ボタンとセットボタンを同時に操作することにより、セットボタンの操作を受けて移動手段がバーナーキャップを第１の位置から第２の位置へ強制移動させて噴出ノズルを露出させ、操作ボタンの操作により圧電ユニットが押し下げられる。そして、圧電ユニットが押し下げられることにより、レバー機構を介して噴出機構が作動されて、噴出ノズルからの燃料ガスの噴出が開始されると共に、圧電素子に高電圧パルスが発生し、放電端子からアークが飛んで燃料ガスに着火され、そうした着火操作によりガスに着火され炎が出た状態で使用に供される。
【００１３】
そして、使用後は、操作ボタンおよびセットボタンの操作を解除することにより、通常は操作ボタンが元の位置に自動復帰し、それに連動してセットボタンが非操作位置に復帰し、燃料ガスの噴出が停止され、炎が消火される。また、セットボタンの操作が解除され、非操作位置に復帰すると、復帰手段の作用でバーナーキャップが第１の位置に復帰し、バーナーキャップが噴出ノズルに被さる。そして、操作ボタンから指を離した時に何らかのトラブルにより燃料ガスの噴出が止まらなくなっても、バーナーキャップが噴出ノズルに被さることによって燃料ガスの燃焼が遮断され、強制的に炎が消火される。
【００１４】
第３にこの発明は、前記第１又は前記第２の発明のガスライターにおいて、バーナーキャップが、一端がキャップ部を構成すると共に他端が脚部を構成し、中央部で回動可能に支持されて、両端が選択的に開閉するよう配置された半割り状の一対のキャップ要素からなり、移動手段が、セットボタンの押し下げ操作によりバーナーキャップの脚部を左右から押圧して閉動させるようセットボタンの下部に形成されたテーパ面からなり、復帰手段が、バーナーキャップのキャップ部を閉動方向に付勢するリターンラバーで構成されたものである。この場合、セットボタンを押し下げることにより、セットボタン下部のテーパ面がバーナーキャップの脚部を左右から押圧して閉動され、それにより、バーナーキャップのキャップ部が開動して噴出ノズルを露出させる。そして、同時に操作ボタンが操作されることによって、噴出ノズルからの燃料ガスの噴出が開始され、点火機構が作動して、燃料ガスに着火され、そうした着火操作によりガスに着火され炎が出た状態で使用に供される。
【００１５】
そして、使用後は、操作ボタンおよびセットボタンの操作を解除することにより、通常は操作ボタンが元の位置に自動復帰し、それに連動してセットボタンが非操作位置に復帰し、燃料ガスの噴出が停止され、炎が消火される。また、セットボタンの操作が解除され、非操作位置に復帰すると、リターンラバーの付勢力によってバーナーキャップのキャップ部が閉動され、噴出ノズルに被さる。そして、操作ボタンから指を離した時に異物侵入等によるトラブルのために燃料ガスの噴出が止まらなくなっても、バーナーキャップが噴出ノズルに被さることによって燃料ガスの燃焼が遮断され、強制的に炎が消火される。
【００１６】
【発明の実施の形態】
以下、本発明の実施の形態を図面に基づいて説明する。
【００１７】
図１はこの発明の実施の形態の一例のガスライターの上部を非操作状態にて示す縦断面図、図２は同ガスライターを非操作状態にて示すキャップを外した平面図、図３は同ガスライターの上部を非操作状態にて一部破砕断面で示す斜視図である。このガスライターは、燃料ガスを貯蔵するライター本体１の上部に、ライター本体１からのガス通路を開閉して燃料ガスの供給および遮断を制御するとともに燃料ガスの噴出量を制御する弁機構２と、弁機構２を介して供給される燃料ガスを噴出する噴出ノズル３とからなる噴出機構と、点火機構を構成する圧電ユニット４と、圧電ユニット４に連動して弁機構２を開き噴出ノズル３から燃料ガスを噴出させるガスレバー５（レバー機構）と、圧電ユニット４を作動させるとともにガスレバー５を作動させる操作ボタン６を備え、また、操作ボタン６の操作と同時に操作可能となるよう操作ボタン６の前部上面に一部重なって配置されたセットボタン７と、常時は噴出ノズル３から噴出する燃料ガスの燃焼を遮断するよう噴出ノズル３に被さる位置（第１の位置）に保持され、セットボタン７を操作した時に着火の妨げとならないよう噴出ノズル３を露出させる位置（第２の位置）に移動するバーナーキャップ８を備えている。
【００１８】
弁機構２はそれ自体公知の構造で、ガス通路並びに弁座を構成するノズル底９の上部にノズルネジ10が装着されて、そのノズルネジ10を貫通して噴出ノズル３が軸方向移動可能に配設され、噴出ノズル３の先端にはノズルチップ11が装着され、噴出ノズル３の下部はノズル底９の弁座位置に達し、下部先端に弁ゴムが装着されている。そして、ノズルネジ10の内部に配置された図示しないノズルスプリングによって噴出ノズル３が弁座部に向けて付勢されて、弁ゴムがノズル底９の弁座部に着座してガス通路を閉じ、噴出ノズル３を持ち上げることによりガス通路が開き、また、調整リング12を回動してノズルネジ10を回すことにより噴出量を調整するよう弁機構２が構成されている。
【００１９】
圧電ユニット４は、やはりそれ自体公知の構造であって、衝撃を加えることによって高電圧パルスを生起させる圧電素子を内蔵した外箱13を備え、図には現れていないが、圧電素子に衝撃を加えるハンマーを内蔵した内箱が、下端側が一部突出するよう外箱13の内部に挿入され、ハンマーが圧電素子に間隔をおいて対向する初期係止位置と、ハンマーが圧電素子に衝き当たる位置との間を、軸方向に移動自在とされ、また、外箱13の内部には、外箱13を内箱に対し圧電素子とハンマーとの間隔を広げる方向に付勢する戻しバネが配置され、内箱の内部には、ハンマーを圧電素子に向け衝き上げる方向に付勢するハンマーバネが配置されている。そして、圧電ユニット４の外箱13の上部には、受け金を介して放電端子14が装着されている。そして、その放電端子14を挟んで外箱13の上部に操作ボタン６が嵌着されている。
【００２０】
また、外箱13には、操作ボタン６を介して外箱13が押し下げられたときにガスレバー５を押して噴射ノズル３を持ち上げる方向に回動させるレバー押し15が取り付けられている。ガスレバー５は、断面略Ｌ字状で、噴射ノズル３の先端に形成された頸部に係合されるノズル係合部が一端に形成され、中央部がライター本体１の上部に揺動自在に支持され、他端脚部が圧電ユニット４の外箱13に面する側でレバー押し15に当接するよう斜め下方に延びた状態に配設されて、操作ボタン６を介して外箱13が押し下げられたときに、レバー押し15により押されて回動し、噴射ノズル３を上方に移動させて、弁機構２を開き、噴射ノズル３から燃料ガスを噴出させるよう構成されている。
【００２１】
セットボタン７は、ライター本体１の上部に装着された仕切板16に沿って操作ボタン６と共に押し下げ可能に配設されたもので、操作ボタン６を指で押し下げる時に、その同じ指で同時に押し下げることができるよう、上記のとおり操作ボタン６の前部上面に一部重なる配置とされている。そして、セットボタン７は、操作ボタン６に重なる押圧部７ａの前方に、放電端子14を跨ぐ形で仕切板16に沿って下方に延びる左右の脚部７ｂを有し、その左右の脚部７ｂの対向する下部内面が、下方に開く左右のテーパ面７ｃとされている。
【００２２】
バーナーキャップ８は、半割り状の一対のキャップ要素からなるもので、一端は、噴出ノズル３の先端に被さるキャップ部８ａを構成し、他端は、キャップ部８ａが閉じた状態で左右にテーパ状に開いた脚部８ｂを構成する。そして、一対のキャップ要素は、中央部がそれぞれボルト17により仕切板16に回動可能に支持され、両端が選択的に開閉可能で、セットボタン７が操作されていない時はキャップ部８ａが閉じて脚部８ｂが開き、セットボタン７を押し下げられた時はセットボタン７の脚部７ｂの左右のテーパ面７ｃによりバーナーキャップ８の脚部８ｂが挟まれて、左右から押圧されることにより、脚部８ｂが閉動し、キャップ部８ａが開動するよう配設されている。セットボタン７の脚部７ｂのテーパ面７ｃは、セットボタンの操作時にバーナーキャップ８を着火に備えた第２の位置へ強制移動させるための移動手段を構成する。
【００２３】
また、バーナーキャップ８は、キャップ部８ａの付け根部分に、一対のキャップ要素を束ねる格好で輪状のリターンラバー18が装着されている。リターンラバー18は、バーナーキャップ８のキャップ部８ａを閉動方向に常時付勢する。バーナーキャップ８のキャップ部８ａを閉動方向に付勢する上記リターンラバー18は、セットボタン７の操作解除時にバーナーキャップ８を燃焼遮断のための第１の位置へ復帰させるための復帰手段を構成する。
【００２４】
ライター本体の上部には、着火空間を覆うキャップ19が装着されている。キャップ19には、噴出ノズル３の軸線上に火口20が形成されるとともに、上部および側部に所定の配置で空気窓21が設けられている。また、キャップ19は、一端がセットボタン７の前端上部に重なる配置とされ、それにより、セットボタン７の上限位置が規制され、セットボタン７を介して操作ボタン６の上限位置が規制されている。
【００２５】
このガスライターを使用に供するときは、操作ボタン６とセットボタン７を同時に指で押し下げる。図４乃至図６はこのガスライターの操作状態を示すもので、図４はガスライター上部の縦断面図、図５はキャップを外した平面図、図６はのガスライター上部を一部破砕断面で示す斜視図である。
【００２６】
操作ボタン６とセットボタン７を同時に押し下げると、図４乃至図６に示すように、セットボタン７の脚部７ｂのテーパ面７ｃがバーナーキャップ８の脚部８ｂを左右から押圧して閉動させ、それにより、バーナーキャップ８のキャップ部８ａが開動し、噴出ノズル３が露出する。また、操作ボタン６により圧電ユニット４の外箱13が押し下げられ、レバー押し15に押されてガスレバー５が回動し、それにより、噴出ノズル３が持ち上げられて、弁機構２が開き、噴出ノズル４から燃料ガスが噴出する。そして、操作ボタン６が下がり切ると、ロック機構が外れて、ハンマーが当て金を介して圧電素子を強打して、高電圧パルスが発生し、放電端子14からの放電で燃料ガスが着火する。そして、そのまま操作ボタン６とセットボタン７を押し続けることにより、着火し炎が出た状態に保持され、その状態で例えば煙草に火をつけるなど使用に供される。
【００２７】
そして、使用後、操作ボタン６およびセットボタン７から指を離すと、通常は戻しバネの反発力で外箱13が持ち上げられ、操作ボタン６が元の位置に自動復帰し、それに連動してセットボタン７が非操作位置に復帰する。そして、外箱13が持ち上げられることにより、ガスレバー５が初期位置に戻り、弁機構２に内包されているノズルスプリングの力で噴出ノズル３が下がり、弁機構２が閉じてガス通路が遮断され、消火される。また、セットボタン７が非操作位置に復帰すると、リターンラバー18の付勢力によってバーナーキャップ８のキャップ部８ａが閉動される。こうして図１乃至図３に示す非操作時の状態に戻る。
【００２８】
また、例えば砂粒等が異物としてライター内部に入り込み、ガスレバー５とライター本体１との間に異物が挟まったり、圧電ユニット４の外箱13と内箱の摺動部の隙間に異物が噛み込まれて、操作を解除しても外箱13が完全には持ち上がらず、したがって、ガスレバー５が完全には元に位置に戻らなくて、弁機構２が閉じず、燃料ガスの噴出が止まらないといった作動不良を起こした場合でも、セットボタン７から指を離すと、テーパ面７ｃを介してバーナーキャップ８の脚部８ｂを閉動方向に押圧する力がなくなるため、図７乃至図９に示すように、バーナーキャップ８は、リターンラバー18の付勢力でキャップ部８ａが閉動する。そして、脚部８ｂが開動し、テーパ面７ｃを介してセットボタン７を押し上げる。
【００２９】
こうしてバーナーキャップ８は、セットボタン７の操作解除時にリターンラバー18の付勢力で噴出ノズル３に被さる位置（第１の位置）に自動復帰し、その際、バーナーキャップ８のキャップ部８ａが噴出ノズル３を左右から挟み込むように閉じて、燃料ガスの燃焼を遮断し、強制的に炎を消火する。図７乃至図９はこのガスライターの作動不良を起こした状態を示すもので、図７はガスライター上部の縦断面図、図８はキャップを外したガスライター上部の正面図、図９は一部破砕断面で示す斜視図である。
【００３０】
【発明の効果】
この発明のガスライターは、操作ボタンに連動する消火機構が何らかのトラブルにより作動しない場合でも、操作ボタンとは別に作動する消火機構によって炎を確実に消火することができる。
【図面の簡単な説明】
【図１】この発明の実施の形態の一例のガスライターの上部を非操作状態にて示す縦断面図、
【図２】この発明の実施の形態の一例のガスライターを非操作状態にて示すキャップを外した平面図、
【図３】この発明の実施の形態の一例のガスライターの上部を非操作状態にて一部破砕断面で示す斜視図、
【図４】この発明の実施の形態の一例のガスライターの上部を操作状態にて示す縦断面図、
【図５】この発明の実施の形態の一例のガスライターを操作状態にて示すキャップを外した平面図、
【図６】この発明の実施の形態の一例のガスライターの上部を操作状態にて一部破砕断面で示す斜視図、
【図７】この発明の実施の形態の一例のガスライターの上部を作動不良を起こした状態にて示す縦断面図、
【図８】この発明の実施の形態の一例のガスライターの上部を作動不良を起こした状態にて示すキャップを外した正面図、
【図９】この発明の実施の形態の一例のガスライターの上部を作動不良を起こした状態にて一部破砕断面で示す斜視図である。
【符号の説明】
１  ライター本体
２  弁機構
３  噴出ノズル
４  圧電ユニット（点火機構）
５  ガスレバー（レバー機構）
６  操作ボタン
７  セットボタン
７ｃ  テーパ面
８  バーナーキャップ
18  リターンラバー
【図１】
0004173258.tif 000002
【図２】
0004173258.tif 000003
【図３】
0004173258.tif 000004
【図４】
0004173258.tif 000005
【図５】
0004173258.tif 000006
【図６】
0004173258.tif 000007
【図７】
0004173258.tif 000008
【図８】
0004173258.tif 000009
【図９】
0004173258.tif 000010